(57)【特許請求の範囲】
【請求項１】
興味対象場所の案内情報の配信を行う第１の情報配信事業者用のコンピュータシステムと、最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法において、
情報端末は現在位置を検出する現在位置検出手段を有し、
第１の情報配信事業者用のコンピュータシステムは、多数の興味対象場所の案内情報を位置情報とともに蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、経路探索用の道路データと交通機関の時刻表データを蓄積手段に蓄積しており、外部の情報端末から出発地と目的地および出発日時を含む経路探索条件を付随した経路探索要求が有ると、道路データおよび交通機関の時刻表データを参照して経路探索条件の示す出発地から目的地までを徒歩と交通機関で結ぶ最適な経路を探索し、該探索した最適経路の情報を要求元の情報端末に返信するようにし、
更に、第１の情報配信事業者用のコンピュータシステムは、興味対象場所の案内情報を送信する際、第２の情報配信事業者用のコンピュータシステムが経路探索要求を受け付けて実行するためのコマンドの機能を有するアドレスをリンク情報とするリンクと、当該興味対象場所の位置情報と、当該位置情報を目的地とし、出発地と出発日時を含む経路探索条件の自動設定プログラムの情報と、を付随させるようにし、
情報端末では第１の情報配信事業者用のコンピュータシステムから所望の興味対象場所の案内情報とリンクと位置情報が返信されると、案内情報とリンクを表示し、該リンクが選択されると興味対象場所の位置情報を目的地、現在位置検出手段で検出されている現在位置を出発地とし、現在日時を出発日時として含む経路探索条件を自動設定し、第２の情報配信事業者用のコンピュータシステムに対し経路探索条件の情報を付随した経路探索要求をするようにしたこと、を特徴とする情報配信方法。
【請求項２】
前記情報端末は更に日時を計時する計時手段を有し、
第１の情報配信事業者用のコンピュータシステムから所望の興味対象場所の案内情報と位置情報に付随して送信される第２の情報配信事業者用のコンピュータシステムが経路探索要求を受け付けて実行するためのコマンドの機能を有するアドレスをリンク情報とするリンクと、前記興味対象場所の位置情報を目的地とし、出発地と出発日時を含む経路探索条件の自動設定プログラムの情報と、に基づいて興味対象場所の位置情報を目的地、現在位置検出手段で検出されている現在位置を出発地、計時手段で計時された現在日時を出発地出発予定日時とした経路探索条件を自動設定し、第２の情報配信事業者用のコンピュータシステムに対し経路探索条件の情報を付随した経路探索要求をし、
第２の情報配信事業者用のコンピュータシステムは、情報端末から経路探索要求が有ると、経路探索用の道路データと交通機関の時刻表データを参照して経路探索条件に従い出発地から目的地までを徒歩と交通機関で結ぶ最適な経路を探索し、該探索した最適経路の情報を要求元の情報端末に返信するようにしたことを特徴とする請求項１に記載の情報配信方法。
【請求項３】
興味対象場所の案内情報の配信を行う第１の情報配信事業者用のコンピュータシステムと、最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法において、
情報端末は現在位置を検出する現在位置検出手段を有し、
第１の情報配信事業者用のコンピュータシステムは、多数の興味対象場所の案内情報を位置情報とともに蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、日時を計時する計時手段を有し、経路探索用の道路データと交通機関の時刻表データを蓄積手段に蓄積しており、外部の情報端末から出発地と目的地を含む経路探索条件を付随した経路探索要求が有ると、計時手段が計時した現在日時を出発予定日時とし、道路データと交通機関の時刻表データを参照して経路探索条件に従い出発地から目的地までを徒歩と交通機関で結ぶ最適な経路を探索し、該探索した最適経路の情報を要求元の情報端末に返信するようにし、
更に、第１の情報配信事業者用のコンピュータシステムは、興味対象場所の案内情報を送信する際、第２の情報配信事業者用のコンピュータシステムが経路探索要求を受け付けて実行するためのコマンドの機能を有するアドレスをリンク情報とするリンクと、当該興味対象場所の位置情報と、当該位置情報を目的地とし、出発地を含む経路探索条件の自動設定プログラムの情報と、を付随させるようにし、
情報端末では第１の情報配信事業者用のコンピュータシステムから所望の興味対象場所の案内情報とリンクと位置情報が返信されると、案内情報とリンクを表示し、該リンクが選択されると興味対象場所の位置情報を目的地、現在位置検出手段で検出されている現在位置を出発地とした経路探索条件を自動設定し、第２の情報配信事業者用のコンピュータシステムに対し経路探索条件の情報を付随した経路探索要求をするようにしたこと、を特徴とする情報配信方法。
【請求項４】
興味対象場所の案内情報の配信を行う第１の情報配信事業者用のコンピュータシステムと、最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信システムにおいて、
情報端末は現在位置を検出する現在位置検出手段を有し、
第１の情報配信事業者用のコンピュータシステムは、多数の興味対象場所の案内情報を位置情報とともに蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、経路探索用の道路データと交通機関の時刻表データを蓄積手段に蓄積しており、外部の情報端末から出発地と目的地および出発日時を含む経路探索条件を付随した経路探索要求が有ると、道路データおよび交通機関の時刻表データを参照して経路探索条件の示す出発地から目的地までを徒歩と交通機関で結ぶ最適な経路を探索し、該探索した最適経路の情報を要求元の情報端末に返信するようにし、
更に、第１の情報配信事業者用のコンピュータシステムは、興味対象場所の案内情報を送信する際、第２の情報配信事業者用のコンピュータシステムが経路探索要求を受け付けて実行するためのコマンドの機能を有するアドレスをリンク情報とするリンクと、当該興味対象場所の位置情報と、当該位置情報を目的地とし、出発地と出発日時を含む経路探索条件の自動設定プログラムの情報と、を付随させるようにし、
情報端末では第１の情報配信事業者用のコンピュータシステムから所望の興味対象場所の案内情報とリンクと位置情報が返信されると、案内情報とリンクを表示し、該リンクが選択されると興味対象場所の位置情報を目的地、現在位置検出手段で検出されている現在位置を出発地とし、現在日時を出発日時として含む経路探索条件を自動設定し、第２の情報配信事業者用のコンピュータシステムに対し経路探索条件の情報を付随した経路探索要求をするようにしたこと、を特徴とする情報配信システム。
【請求項５】
前記情報端末は更に日時を計時する計時手段を有し、
第１の情報配信事業者用のコンピュータシステムから所望の興味対象場所の案内情報と位置情報に付随して送信される第２の情報配信事業者用のコンピュータシステムが経路探索要求を受け付けて実行するためのコマンドの機能を有するアドレスをリンク情報とするリンクと、前記興味対象場所の位置情報を目的地とし、出発地と出発日時を含む経路探索条件の自動設定プログラムの情報と、に基づいて
興味対象場所の位置情報を目的地、現在位置検出手段で検出されている現在位置を出発地、計時手段で計時された現在日時を出発地出発予定日時とした経路探索条件を自動設定し、第２の情報配信事業者用のコンピュータシステムに対し経路探索条件の情報を付随した経路探索要求をし、
第２の情報配信事業者用のコンピュータシステムは、情報端末から経路探索要求が有ると、経路探索用の道路データと交通機関の時刻表データを参照して経路探索条件に従い出発地から目的地までを徒歩と交通機関で結ぶ最適な経路を探索し、該探索した最適経路の情報を要求元の情報端末に返信するようにしたことを特徴とする請求項４に記載の情報配信システム。
【請求項６】
興味対象場所の案内情報の配信を行う第１の情報配信事業者用のコンピュータシステムと、最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信システムにおいて、
情報端末は現在位置を検出する現在位置検出手段を有し、
第１の情報配信事業者用のコンピュータシステムは、多数の興味対象場所の案内情報を位置情報とともに蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、日時を計時する計時手段を有し、経路探索用の道路データと交通機関の時刻表データを蓄積手段に蓄積しており、外部の情報端末から出発地と目的地を含む経路探索条件を付随した経路探索要求が有ると、計時手段が計時した現在日時を出発予定日時とし、道路データと交通機関の時刻表データを参照して経路探索条件に従い出発地から目的地までを徒歩と交通機関で結ぶ最適な経路を探索し、該探索した最適経路の情報を要求元の情報端末に返信するようにし、
更に、第１の情報配信事業者用のコンピュータシステムは、興味対象場所の案内情報を送信する際、第２の情報配信事業者用のコンピュータシステムが経路探索要求を受け付けて実行するためのコマンドの機能を有するアドレスをリンク情報とするリンクと、当該興味対象場所の位置情報と、当該位置情報を目的地とし、出発地を含む経路探索条件の自動設定プログラムの情報と、を付随させるようにし、
情報端末では第１の情報配信事業者用のコンピュータシステムから所望の興味対象場所の案内情報とリンクと位置情報が返信されると、案内情報とリンクを表示し、該リンクが選択されると興味対象場所の位置情報を目的地、現在位置検出手段で検出されている現在位置を出発地とした経路探索条件を自動設定し、第２の情報配信事業者用のコンピュータシステムに対し経路探索条件の情報を付随した経路探索要求をするようにしたこと、を特徴とする情報配信システム。
【請求項７】
興味対象場所の案内情報の配信を行う第１の情報配信事業者用のコンピュータシステムと、最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法において、
情報端末は現在位置を検出する現在位置検出手段を有し、
第１の情報配信事業者用のコンピュータシステムは、多数の興味対象場所の案内情報を位置情報とともに蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、経路探索用の道路データおよび交通機関の時刻表データと興味対象場所の所在地図情報を蓄積手段に蓄積しており、外部の情報端末から出発地と目的地および出発日時を含む経路探索条件を付随した経路探索要求が有ると、道路データおよび交通機関の時刻表データを参照して経路探索条件の示す出発地から目的地までを徒歩と交通機関で結ぶ最適な経路を探索し、該探索した最適経路の情報を要求元の情報端末に返信し、あるいは、外部の情報端末から興味対象場所の所在地図要求があると、所在地図情報を要求元の情報端末に返信し、
更に、第１の情報配信事業者用のコンピュータシステムは、興味対象場所の案内情報を送信する際、第２の情報配信事業者用のコンピュータシステムが所在地図要求を受け付け、該当する所在地図情報を情報端末に送信するためのアドレスをリンク情報とするリンクを付随させるようにし、
更に、第２の情報配信事業者用のコンピュータシステムは、情報端末に前記所在地図情報を送信する際、所在地図情報に、当該第２の情報配信事業者用のコンピュータシステムが経路探索要求を受け付けて実行するためのコマンドの機能を有するアドレスをリンク情報とするリンクと、当該興味対象場所の位置情報と、当該位置情報を目的地とし、出発日時を含む経路探索条件の自動設定プログラムの情報と、を付随させるようにし、
情報端末では第２の情報配信事業者用のコンピュータシステムから所望の興味対象場所の所在地図情報とリンクが返信されると、所在地図情報とリンクを表示し、該リンクが選択されると興味対象場所の位置情報を目的地、現在位置検出手段で検出されている現在位置を出発地とし、現在日時を出発日時として含む経路探索条件を自動設定し、第２の情報配信事業者用のコンピュータシステムに対し経路探索条件の情報を付随した経路探索要求をするようにしたこと、を特徴とする情報配信方法。
【請求項８】
興味対象場所の案内情報の配信を行う第１の情報配信事業者用のコンピュータシステムと、最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信システムにおいて、
情報端末は現在位置を検出する現在位置検出手段を有し、
第１の情報配信事業者用のコンピュータシステムは、多数の興味対象場所の案内情報を位置情報とともに蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、経路探索用の道路データおよび交通機関の時刻表データと興味対象場所の所在地図情報を蓄積手段に蓄積しており、外部の情報端末から出発地と目的地および出発日時を含む経路探索条件を付随した経路探索要求が有ると、道路データおよび交通機関の時刻表データを参照して経路探索条件の示す出発地から目的地までを徒歩と交通機関で結ぶ最適な経路を探索し、該探索した最適経路の情報を要求元の情報端末に返信し、あるいは、外部の情報端末から興味対象場所の所在地図要求があると、所在地図情報を要求元の情報端末に返信し、
更に、第１の情報配信事業者用のコンピュータシステムは、興味対象場所の案内情報を送信する際、第２の情報配信事業者用のコンピュータシステムが所在地図要求を受け付け、該当する所在地図情報を情報端末に送信するためのアドレスをリンク情報とするリンクを付随させるようにし、
更に、第２の情報配信事業者用のコンピュータシステムは、情報端末に前記所在地図情報を送信する際、所在地図情報に、当該第２の情報配信事業者用のコンピュータシステムが経路探索要求を受け付けて実行するためのコマンドの機能を有するアドレスをリンク情報とするリンクと、当該興味対象場所の位置情報と、当該位置情報を目的地とし、出発日時を含む経路探索条件の自動設定プログラムの情報と、を付随させるようにし、
情報端末では第２の情報配信事業者用のコンピュータシステムから所望の興味対象場所の所在地図情報とリンクが返信されると、所在地図情報とリンクを表示し、該リンクが選択されると興味対象場所の位置情報を目的地、現在位置検出手段で検出されている現在位置を出発地とし、現在日時を出発日時として含む経路探索条件を自動設定し、第２の情報配信事業者用のコンピュータシステムに対し経路探索条件の情報を付随した経路探索要求をするようにしたこと、を特徴とする情報配信システム。
【発明の詳細な説明】
【０００１】
【発明の属する技術分野】
本発明は情報配信方法および情報配信システムに係り、とくに通信機能を有する情報端末のユーザが、情報配信事業者から案内情報を入手した所望の興味対象場所へ行くための最適な経路を速やかに探索できるようにした情報配信方法および情報配信システムに関する。
【０００２】
【従来の技術】
情報端末の１つである携帯電話のデータ通信機能を利用して、レジャー施設、飲食店、イベント会場等の種々の興味対象場所（ＰＯＩ：Point Of Interest ））の案内情報を簡単に入手できるようになっている。図２７に示す如く、携帯電話１０は移動網２０を介して携帯電話事業者のデータ通信サービスセンタ３０と接続されており、該データ通信サービスセンタ３０には専用線４０1 、４０2 またはインターネット５０を介して種々の情報配信事業者（コンテンツプロバイダ、アプリケーションサービスプロバイダなど）の情報配信コンピュータシステム６０1 、６０2 、６０3 、６０4 、・・、６０i 、・・、７０と接続されている。各情報配信コンピュータシステム６０i は各々、ハードディスク等で構成された蓄積手段６１i に、グループ別に分けられた多数のＰＯＩの案内情報とグループ毎のＰＯＩリスト情報を蓄積している。或るグループのＰＯＩリスト情報と、個々のＰＯＩの案内情報は外部から所定のアドレスにアクセスして入手可能となっている。
【０００３】
携帯電話１０でＰＯＩメインメニューの要求操作をすると、データ通信サービスセンタ３０からＰＯＩメインメニューの画面情報が返信されて画面１１に表示される（図２８（１）参照。反転表示はカーソル位置を示す）。ユーザが例えば、「食事」を選択すると、データ通信サービスセンタ３０から「食事」に関するＰＯＩサブメニューの画面情報が返信されて画面１１に表示される（図２８（２）参照）。「食事」に関する個々のＰＯＩサブメニューである「レストラン」、「すし」、「カレー」、「ラーメン」、「焼肉」、「ハンバーグ」、・・の項目名はＰＯＩである飲食店のリスト情報の要求受け付け用アドレスをリンク情報とする文字リンクとなっている。「ハンバーグ」のＰＯＩサブメニューを選択し、「ハンバーグ」に登録された店舗リスト情報を要求すると、「ハンバーグ」のリンク情報がデータ通信サービスセンタ３０に送信され、該データ通信サービスセンタ３０はリンク情報のアドレスにアクセスし、対応する情報配信コンピュータシステム、たとえば６０3 に対し「ハンバーグ」の飲食店リストを要求し、情報配信コンピュータシステム６０3 から返信されると、中継して携帯電話１０に送信し、画面表示させる（図２８（３）参照）。各飲食店名「カブース」、「美味処」、・・は案内情報要求受け付け用アドレスをリンク情報とするリンクとなっている。
【０００４】
所望の店舗名、例えば「カブース」を選択し、「カブース」の案内情報を要求すると、「カブース」のリンク情報がデータ通信サービスセンタ３０に送信され、該データ通信サービスセンタ３０はリンク情報のアドレスにアクセスし、情報配信コンピュータシステム６０3 に対し「カブース」の案内情報を要求し、情報配信コンピュータシステム６０3 から返信されると、中継して携帯電話１０に送信し、画面表示させる（図２８（４）参照）。これにより、所望の飲食店の住所、営業時間、電話番号等が判る。
【０００５】
ところで、所望の飲食店の所在地が良く知らない土地の場合、地図で場所を確認する必要が有る。携帯電話のデータ通信サービスにはＰＯＩを地図上に表示できるものもある。具体的には、情報配信コンピュータシステム７０が地図情報の配信サービスをする場合、所定の縮尺でエリア別の地図表示用の地図データを蓄積手段７１に蓄積しておく。情報配信コンピュータシステム７０には地図要求受け付け用アドレスが割り当てられている。一方、各情報配信コンピュータシステム６０1 、６０2 、６０3 、・・、６０i 、・・では、各ＰＯＩの案内情報にＰＯＩの位置情報（経度、緯度）を対応付けておき、ＰＯＩの案内情報を配信する際、ＰＯＩの位置情報をパラメータに含む所在地図要求受け付け用アドレスをリンク情報としたリンクも一緒に送信し、画面表示させる（図２８（４）の符号Ａ参照）。携帯電話１０でＰＯＩの案内情報と一緒に表示される地図用のリンクを選択し、所在地図を要求すると、リンク情報がデータ通信サービスセンタ３０に送信され、該データ通信サービスセンタ３０はリンク情報の示すアドレスにアクセスし、情報配信コンピュータシステム７０に対し所在地図データを要求し、この際、ＰＯＩの位置情報を引き渡す。情報配信コンピュータシステム７０はＰＯＩの位置情報を中心とする地図表示用の地図データをＰＯＩ位置マーク付で返信し、データ通信サービスセンタ３０は中継して携帯電話１０に送信し、画面表示させる（図２９参照）。これにより、所望のＰＯＩの場所を地図上で確認できる。
【０００６】
【発明が解決しようとする課題】
けれども、上記した従来の情報配信サービスシステムでは、所望のＰＯＩの場所を地図上で確認することはできるが、現在位置から車や徒歩と交通機関の組み合わせでどのような経路で行けば短い時間で到達できるかは知ることができなかった。本発明は上記した従来技術の問題に鑑み、情報端末を用いて簡単に所望ＰＯＩへの最適経路を探索可能とした情報配信方法および情報配信システムを提供することを、その目的とする。
【０００７】
【課題を解決するための手段】
本発明の請求項１に記載の情報配信方法または請求項４に記載の情報配信システムは、
興味対象場所の案内情報の配信を行う第１の情報配信事業者用のコンピュータシステムと、最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法または情報配信システムにおいて、
情報端末は現在位置を検出する現在位置検出手段を有し、
第１の情報配信事業者用のコンピュータシステムは、多数の興味対象場所の案内情報を位置情報とともに蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、経路探索用の道路データと交通機関の時刻表データを蓄積手段に蓄積しており、外部の情報端末から出発地と目的地および出発日時を含む経路探索条件を付随した経路探索要求が有ると、道路データおよび交通機関の時刻表データを参照して経路探索条件の示す出発地から目的地までを徒歩と交通機関で結ぶ最適な経路を探索し、該探索した最適経路の情報を要求元の情報端末に返信するようにし、
更に、第１の情報配信事業者用のコンピュータシステムは、興味対象場所の案内情報を送信する際、第２の情報配信事業者用のコンピュータシステムが経路探索要求を受け付けて実行するためのコマンドの機能を有するアドレスをリンク情報とするリンクと、当該興味対象場所の位置情報と、当該位置情報を目的地とし、出発地と出発日時を含む経路探索条件の自動設定プログラムの情報と、を付随させるようにし、
情報端末では第１の情報配信事業者用のコンピュータシステムから所望の興味対象場所の案内情報とリンクと位置情報が返信されると、案内情報とリンクを表示し、該リンクが選択されると興味対象場所の位置情報を目的地、現在位置検出手段で検出されている現在位置を出発地とし、現在日時を出発日時として含む経路探索条件を自動設定し、第２の情報配信事業者用のコンピュータシステムに対し経路探索条件の情報を付随した経路探索要求をするようにしたこと、を特徴としている。
【０００８】
本発明の請求項２に記載の情報配信方法または請求項５に記載の情報配信システムは、それぞれ請求項１に記載の情報配信方法または請求項４に記載の情報配信システムにおいて、
前記情報端末は更に日時を計時する計時手段を有し、
第１の情報配信事業者用のコンピュータシステムから所望の興味対象場所の案内情報と位置情報に付随して送信される第２の情報配信事業者用のコンピュータシステムが経路探索要求を受け付けて実行するためのコマンドの機能を有するアドレスをリンク情報とするリンクと、前記興味対象場所の位置情報を目的地とし、出発地と出発日時を含む経路探索条件の自動設定プログラムの情報と、に基づいて興味対象場所の位置情報を目的地、現在位置検出手段で検出されている現在位置を出発地、計時手段で計時された現在日時を出発地出発予定日時とした経路探索条件を自動設定し、第２の情報配信事業者用のコンピュータシステムに対し経路探索条件の情報を付随した経路探索要求をし、
第２の情報配信事業者用のコンピュータシステムは、情報端末から経路探索要求が有ると、経路探索用の道路データと交通機関の時刻表データを参照して経路探索条件に従い出発地から目的地までを徒歩と交通機関で結ぶ最適な経路を探索し、該探索した最適経路の情報を要求元の情報端末に返信するようにしたこと、を特徴としている。
【０００９】
本発明の請求項３に記載の情報配信方法または請求項６に記載の情報配信システムは、
興味対象場所の案内情報の配信を行う第１の情報配信事業者用のコンピュータシステムと、最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法または情報配信システムにおいて、
情報端末は現在位置を検出する現在位置検出手段を有し、
第１の情報配信事業者用のコンピュータシステムは、多数の興味対象場所の案内情報を位置情報とともに蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、日時を計時する計時手段を有し、経路探索用の道路データと交通機関の時刻表データを蓄積手段に蓄積しており、外部の情報端末から出発地と目的地を含む経路探索条件を付随した経路探索要求が有ると、計時手段が計時した現在日時を出発予定日時とし、道路データと交通機関の時刻表データを参照して経路探索条件に従い出発地から目的地までを徒歩と交通機関で結ぶ最適な経路を探索し、該探索した最適経路の情報を要求元の情報端末に返信するようにし、
更に、第１の情報配信事業者用のコンピュータシステムは、興味対象場所の案内情報を送信する際、第２の情報配信事業者用のコンピュータシステムが経路探索要求を受け付けて実行するためのコマンドの機能を有するアドレスをリンク情報とするリンクと、当該興味対象場所の位置情報と、当該位置情報を目的地とし、出発地を含む経路探索条件の自動設定プログラムの情報と、を付随させるようにし、
情報端末では第１の情報配信事業者用のコンピュータシステムから所望の興味対象場所の案内情報とリンクと位置情報が返信されると、案内情報とリンクを表示し、該リンクが選択されると興味対象場所の位置情報を目的地、現在位置検出手段で検出されている現在位置を出発地とした経路探索条件を自動設定し、第２の情報配信事業者用のコンピュータシステムに対し経路探索条件の情報を付随した経路探索要求をするようにしたこと、を特徴としている。
【００１０】
本発明の請求項７に記載の情報配信方法または請求項８に記載の情報配信システムは、
興味対象場所の案内情報の配信を行う第１の情報配信事業者用のコンピュータシステムと、最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法において、
情報端末は現在位置を検出する現在位置検出手段を有し、
第１の情報配信事業者用のコンピュータシステムは、多数の興味対象場所の案内情報を位置情報とともに蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、経路探索用の道路データおよび交通機関の時刻表データと興味対象場所の所在地図情報を蓄積手段に蓄積しており、外部の情報端末から出発地と目的地および出発日時を含む経路探索条件を付随した経路探索要求が有ると、道路データおよび交通機関の時刻表データを参照して経路探索条件の示す出発地から目的地までを徒歩と交通機関で結ぶ最適な経路を探索し、該探索した最適経路の情報を要求元の情報端末に返信し、あるいは、外部の情報端末から興味対象場所の所在地図要求があると、所在地図情報を要求元の情報端末に返信し、
更に、第１の情報配信事業者用のコンピュータシステムは、興味対象場所の案内情報を送信する際、第２の情報配信事業者用のコンピュータシステムが所在地図要求を受け付け、該当する所在地図情報を情報端末に送信するためのアドレスをリンク情報とするリンクを付随させるようにし、
更に、第２の情報配信事業者用のコンピュータシステムは、情報端末に前記所在地図情報を送信する際、所在地図情報に、当該第２の情報配信事業者用のコンピュータシステムが経路探索要求を受け付けて実行するためのコマンドの機能を有するアドレスをリンク情報とするリンクと、当該興味対象場所の位置情報と、当該位置情報を目的地とし、出発日時を含む経路探索条件の自動設定プログラムの情報と、を付随させるようにし、
情報端末では第２の情報配信事業者用のコンピュータシステムから所望の興味対象場所の所在地図情報とリンクが返信されると、所在地図情報とリンクを表示し、該リンクが選択されると興味対象場所の位置情報を目的地、現在位置検出手段で検出されている現在位置を出発地とし、現在日時を出発日時として含む経路探索条件を自動設定し、第２の情報配信事業者用のコンピュータシステムに対し経路探索条件の情報を付随した経路探索要求をするようにしたこと、を特徴としている。
【００１３】
【発明の実施の形態】
次に、本発明の一つの実施の形態を図１を参照して説明する。図１は本発明に係るデータ通信ネットワークを利用した情報配信システムの構成図である。
１０Ａは情報端末の一例としてのデータ通信機能付の携帯電話、２０は携帯電話１０Ａと無線接続する移動網、３０は移動網と接続された携帯電話事業者の運用するデータ通信サービスセンタであり、該データ通信サービスセンタ３０には専用線４０1 、４０2 またはインターネット５０を介して種々の情報配信事業者（コンテンツプロバイダ、アプリケーションサービスプロバイダなど）の運用する情報配信コンピュータシステム６０Ａ1 、６０Ａ2 、６０Ａ3 、６０Ａ4 、・・、６０Ａi 、・・及び８０と接続されている。ここでは、情報配信コンピュータシステム６０Ａi はＰＯＩの案内情報を配信するコンテンツプロバイダが運用しており、情報配信コンピュータシステム８０は地図情報、経路案内情報の配信をするアプリケーションサービスプロバイダが運用しているものとする。
【００１４】
各情報配信コンピュータシステム６０Ａi は図２に示す如く、各々、１または複数のグループに分けられた多数のＰＯＩの案内情報、ＰＯＩの位置情報としての位置座標（経度、緯度）と名称、グループ毎のＰＯＩリスト情報をグループ別に蓄積した蓄積手段６１Ａi を有している。各ＰＯＩの案内情報（ＰＯＩの名称、住所、営業時間、電話番号など）には、着目位置情報としてのＰＯＩの位置座標（経緯度）と名称をパラメータに含むＰＯＩ所在地図要求用のＵＲＬ（８０）a をリンク情報とする「ＭＡＰ」の文字リンクと（図１６（２）の符号ＬＡ参照）、経路探索要求用のＵＲＬ（８０）e をリンク情報とする「トータルナビ（目的地）」の文字リンク（経路探索要求用コマンドボタンとしての機能を有する。図１６（２）の符号ＬＢ参照）が付属している。「トータルナビ（目的地）」の文字リンクには、着目位置情報としてのＰＯＩの位置座標（経緯度）と経路探索条件自動設定プログラムの情報が付属している。
【００１５】
情報配信コンピュータシステム６０Ａi における或るグループのＰＯＩリスト情報と、当該或るグループ内の個々のＰＯＩの案内情報は、外部から所定のアドレス（ここでは全てＵＲＬアドレスとする）にアクセスして入手可能となっており、例えば、情報配信コンピュータシステム６０Ａi の第ｊグループのＰＯＩリスト情報の要求受け付け用アドレス（ＵＲＬ）＝ＵＲＬ（６０Ａi ）j0、第ｊグループのｋ番目のＰＯＩの案内情報の要求受け付け用アドレス（ＵＲＬ）＝ＵＲＬ（６０Ａi ）jkであるとする。情報配信コンピュータシステム６０Ａi は、ＰＯＩの案内情報を配信する際、着目位置情報としてのＰＯＩの位置情報としての位置座標（経緯度）と名称をパラメータに含む所在地図要求受け付け用アドレスをリンク情報としたリンクと、経路探索要求受け付け用アドレスをリンク情報としたリンク（このリンクには着目位置情報としてのＰＯＩの位置座標（経緯度）と経路探索条件の自動設定プログラムの情報が付属している）も一緒に送信し、ＰＯＩの案内情報とリンクを一緒に画面表示させる。
【００１６】
情報配信コンピュータシステム８０は図３に示す如く、所定の縮尺で、所定の経度幅、緯度幅に分割されたエリア別の単位地図（図４の符号Ｍij参照）毎の地図表示用の地図データ（ベクトルデータ）、最適経路探索用の道路データ及び交通機関の時刻表データを蓄積した蓄積手段８１を有している。蓄積手段８１には経路探索した結果の内、徒歩用経路の経路データを個別に一時記憶するユーザデータ記憶領域も設けられている。地図表示用の地図データは、所定の経度幅、緯度幅の単位地図に分割されており、図５に示す如く、各単位地図Ｍijは対角頂点の位置座標Ｂ1 （経度、緯度）、Ｂ2 （経度、緯度）の組で識別される。
【００１７】
この情報配信コンピュータシステム８０には所在地図要求受け付け用のＵＲＬアドレス＝ＵＲＬ（８０）a 、経路探索要求受け付け用のＵＲＬアドレス＝ＵＲＬ（８０）e 、経路案内地図要求受け付け用のＵＲＬアドレス＝ＵＲＬ（８０）f 、不足分の経路案内地図データ要求受け付け用のＵＲＬアドレス＝ＵＲＬ（８０）g が対応付けられている。外部から所在地図要求受け付け用のＵＲＬ（８０）a に対しＰＯＩの位置情報及び名称のパラメータ付でアクセスがあると、情報配信コンピュータシステム８０は、蓄積手段８１から所定の縮尺でＰＯＩの周辺の一定範囲の地図表示用の地図データを読み出し、地図データにＰＯＩ位置マークのデータ（位置座標とマークの種別）と、ＰＯＩの名称文字のデータ（位置座標と文字）を付加し、表示中心とすべき着目位置座標（＝ＰＯＩの位置座標）を含むヘッダ付で所在地図情報を要求元に返信する。情報配信コンピュータシステム８０は、地図情報を配信する際、経路探索要求受け付け用アドレスＵＲＬ（８０）e をリンク情報としたリンク（このリンクには着目位置情報としてのＰＯＩの位置座標（経緯度）と経路探索条件の自動設定プログラムの情報が付属している）も一緒に送信し、画面表示させる。
【００１８】
また情報配信コンピュータシステム８０は、経路探索要求受け付け用のＵＲＬ（８０）e に経路探索条件の情報（出発地の位置情報、目的地の位置情報、出発予定日時）を付随してアクセスがあると、経路探索条件に従い道路データと交通機関の時刻表データを参照して、出発地から目的地までを徒歩と交通機関で結ぶ最適な経路の候補をＭ個（Ｍは１以上の整数）探索する。そして、各最適経路候補について、出発地から目的地まで交通手段別に、交通手段の名称、スタート位置と到着位置の名称、スタート時刻と到着時刻から成る最適経路概要文字情報を生成し、経路探索の要求元に返信する。この際、最適経路の各候補の内、交通手段が徒歩の部分の経路データは個別に、到着日時（徒歩の部分の終端に到着する日時）を含むインデックスと対応付けて蓄積手段８１に記憶させておき（図３のユーザデータ記憶領域）、蓄積手段８１の内の経路データの記憶場所と、着目位置座標としての経路データの始端位置座標とをパラメータに含む経路案内地図要求受け付け用のＵＲＬ（８０）f をリンク情報としたリンクを、最適経路概要文字情報に付加して経路探索の要求元に返信する。
【００１９】
また、情報配信コンピュータシステム８０は経路案内地図要求受け付け用のＵＲＬ（８０）f に対しアクセスが有ると、付随するパラメータが示す記憶場所の経路データを読み出すとともに、付随するパラメータが示す着目位置座標を含む所定の縮尺の１単位分の地図及び該単位地図を囲む８個の単位地図（例えば、図４の符号Ｐに示す如く単位地図Ｍ22の中に着目位置座標が有る場合、Ｍ11〜Ｍ13、Ｍ21〜Ｍ23、Ｍ31〜Ｍ33の単位地図が該当する）の地図表示用の地図データを読み出し、経路データを特定の色、線種、太さの道路として扱って当該読みだした地図データ中に組み込むとともに、経路データの始端位置に始端位置マーク、終端位置に終端位置マークを地図データ中に組み込んだのち、フレーム分割で表示させる経路誘導開始コマンドボタン（ＣＢ１）と経路誘導終了コマンドボタン（ＣＢ２）の情報とともに要求元に返信する。
【００２０】
携帯電話１０Ａのデータ通信系は図６に示す如く構成されており、１２は通信部であり、データ通信時、所定のデータ通信用チャネルで移動網２０と無線接続し、後述するコントロール部から入力したデータに対しディジタル変調、周波数変換、電力増幅し、データ通信用チャネルで移動網２０の側の基地局（図示せず）宛に無線電波を送信したり、基地局からデータ通信用チャネルで送信された無線電波を受信し、増幅、周波数変換、ディジタル復調をし、自機宛のデータを抽出してコントロール部へ出力したりする。１３はＧＰＳ受信部であり、ＧＰＳ衛星航法により、定期的に現在位置を検出し、現在位置データ（経度、緯度）を出力する。１４はキー操作部であり、メニューキー、文字／数字キー、カーソル移動操作またはスクロール操作等を行うための上下左右キー、確定キー、クリアキー、登録キー等を有する。１５は表示部であり、各種メニュー、ＰＯＩのリスト、所望ＰＯＩの案内情報、所望ＰＯＩを含む地図画像、最適経路情報等を表示する。１６は記憶部であり、外部から受信したデータを一時記憶したり、ユーザが保存を指示したデータを記憶したり記憶をする。１７はマイコン構成のコントロール部であり、キー操作部１４での操作に従い、通信部１２を制御して移動網２０を介してデータ通信サービスセンタ３０、情報配信コンピュータシステム６０Ａ1 、６０Ａ2 、６０Ａ3 、６０Ａ4 、・・、６０Ａi 、・・、８０とデータ通信サービスに関する各種データの送受をさせ、受信データを記憶部１６に記憶させたり、受信データに基づき表示部１５にメニュー、ＰＯＩのリスト、所望ＰＯＩの案内情報、所望ＰＯＩを含む地図画像、最適経路概要文字情報、経路案内地図画像等を表示させたりする。１８は現在の日時の計時を行う計時部である。
【００２１】
図７〜図１０はデータ通信サービスに関する携帯電話１０Ａのコントロール部１７の制御処理を示すフローチャート、図１１はデータ通信サービスセンタ３０の通信サービス処理を示すフローチャート、図１２は情報配信コンピュータシステム６０Ａi の情報配信処理を示すフローチャート、図１３と図１４は情報配信コンピュータシステム８０の情報配信処理を示すフローチャート、図１５〜図１７、図１９〜図２６は携帯電話１０Ａの表示部１５の画面１１の表示例の説明図、図１８は情報配信コンピュータシステム８０で探索された最適経路の説明図であり、以下、これらの図を参照して上記した実施の形態の動作を説明する。
なお、最適経路の候補の探索数Ｍは２とする。
【００２２】
（１）所望ＰＯＩの案内情報の入手
まず携帯電話１０Ａでメニューキーを押し、メニューの呼び出し操作をすると、コントロール部１７は初期メニューを表示部１５に表示させる（図７のステップＳ１０、Ｓ１１。図１５（１）参照。文字の反転表示でカーソル位置が示される）。数字キーで２を入力するか、または上下左右キーで「ＰＯＩメインメニュー」にカーソルを合わせ確定キーを押して選択すると、コントロール部１７は通信部１２を制御し、データ通信サービスセンタ３０にＰＯＩメインメニューの要求信号を端末ＩＤ情報とともに送信させる。該ＰＯＩメインメニュー要求信号は移動網２０を介してデータ通信サービスセンタ３０に入力される。ＰＯＩメインメニュー要求信号を入力したデータ通信サービスセンタ３０は、蓄積手段３１からＰＯＩメインメニューを読み出し、要求元の携帯電話１０Ａ宛に移動網２０を介して送信する（図１１のステップＳ１００、Ｓ１０１）。携帯電話１０ＡではＰＯＩメインメニューのデータが通信部１２で受信され、コントロール部１７に出力される。コントロール部１７はＰＯＩメインメニューを記憶部１６に一時記憶するとともに表示部１５に表示させる（ステップＳ１３。図１５（２）参照）。
【００２３】
ユーザがキー操作部１４で例えば「食事」を選択すると、コントロール部１７は「食事」のＰＯＩサブメニュー要求信号を端末ＩＤ情報とともに送信させ、該ＰＯＩサブメニュー要求信号は移動網２０を介してデータ通信サービスセンタ３０に入力される。ＰＯＩサブメニュー要求信号を入力したデータ通信サービスセンタ３０は、蓄積手段３１から「食事」のＰＯＩサブメニューを読み出し、要求元の携帯電話１０Ａ宛に送信し（ステップＳ１０２、Ｓ１０３）、携帯電話１０Ａの通信部１２で受信され、コントロール部１７に出力される。コントロール部１７は「食事」のＰＯＩサブメニューを記憶部１６の一時記憶領域に一時記憶するとともに表示部１５に表示させる（ステップＳ１４、Ｓ１５。図１５（３）参照）。ＰＯＩサブメニューの各項目は、情報配信コンピュータシステム６０Ａ1 、６０Ａ2 、・・・の蓄積手段６１Ａ1 、６０Ａ2 、・・・に記憶されたＰＯＩリスト情報の１つと対応しており、項目文字が対応するＰＯＩリスト情報の記憶場所をリンク情報とするリンクとなっている。
【００２４】
ユーザがキー操作部１４で例えば「ハンバーグ」を選択すると、コントロール部１７は対応するリンク情報の示すＵＲＬｆへのアクセス要求信号（ここではＰＯＩリスト要求信号となる）を端末ＩＤ情報とともに送信させ、該アクセス要求信号は移動網２０を介してデータ通信サービスセンタ３０に入力される。アクセス要求信号を入力したデータ通信サービスセンタ３０は、ＵＲＬｆが例えばＵＲＬ（６０Ａ2 ）10であり情報配信コンピュータシステム６０Ａ2 に該当しているとき、アクセス要求信号を専用線４０2 を介して情報配信コンピュータシステム６０Ａ2 に転送し（ステップＳ１０４、Ｓ１０５）、情報配信コンピュータシステム６０Ａ2 は、蓄積手段６１Ａ2 の内、ＵＲＬｆの示すアドレスに対応するＰＯＩリスト情報を読み出し、要求元の携帯電話１０Ａ宛に送信し（ステップＳ１１０、Ｓ１１１）、データ通信サービスセンタ３０は、携帯電話１０Ａに転送する（ステップＳ１０４、Ｓ１０５）。ＰＯＩリスト情報は通信部１２で受信され、コントロール部１７が記憶部１６の一時記憶領域に一時記憶するとともに表示部１５に表示させる（ステップＳ１６、Ｓ１７。図１６（１）参照）。食事に関するＰＯＩリストの各項目は店名であるが、情報配信コンピュータシステム６０Ａ1 、６０Ａ2 、・・・の蓄積手段６１Ａ1 、６０Ａ2 、・・・に記憶されたＰＯＩ案内情報の１つと対応しており、項目文字は対応するＰＯＩ案内情報の記憶場所をリンク情報とするリンクとなっている。
【００２５】
ユーザがキー操作部１４で例えば「カブース」を選択すると、コントロール部１７は対応するリンク情報の示すＵＲＬｇへのアクセス要求信号（ここではＰＯＩ案内情報要求信号となる）を端末ＩＤ情報とともに送信させ、該アクセス要求信号は移動網２０を介してデータ通信サービスセンタ３０に入力される。アクセス要求信号を入力したデータ通信サービスセンタ３０は、ＵＲＬｇが例えば、ＵＲＬ（６０Ａ2 ）11であり情報配信コンピュータシステム６０Ａ2 に該当しているとき、情報配信コンピュータシステム６０Ａ2 に該当することからアクセス要求信号を専用線４０2 を介して情報配信コンピュータシステム６０Ａ2 に転送し（ステップＳ１０４、Ｓ１０５）、情報配信コンピュータシステム６０Ａ2 は、蓄積手段６１Ａ2 の内、ＵＲＬｇの示すアドレスに対応するＰＯＩ案内情報（このＰＯＩ案内情報には、ＰＯＩの位置座標（経緯度）と名称をパラメータに含む所在地図要求受け付け用のＵＲＬ（８０）a をリンク情報とする「ＭＡＰ」の文字リンク（図１６（２）の符号ＬＡ参照）と、経路探索要求用のＵＲＬ（８０）e をリンク情報とする「トータルナビ（目的地）」の文字リンク（図１６（２）の符号ＬＢ参照）が付属しており、「トータルナビ（目的地）」の文字リンクには、着目位置情報としてのＰＯＩの位置座標（経緯度）と経路探索条件の自動設定プログラムの情報が付属している）を読み出し、要求元の携帯電話１０Ａ宛に送信し（ステップＳ１１２、Ｓ１１３）、データ通信サービスセンタ３０は、携帯電話１０Ａに転送する（ステップＳ１０４、Ｓ１０５）。ＰＯＩ案内情報は通信部１２で受信され、コントロール部１７が記憶部１６の一時記憶領域に一時記憶するとともに表示部１５に表示させる（ステップＳ１８、Ｓ１９。図１６（２）参照）。これにより、ユーザは所望のＰＯＩの住所、電話番号、営業時間等の案内情報を見ることができる。
【００２６】
（２）ＰＯＩ案内情報の保存
今回入手したＰＯＩ案内情報を保存しておきたい場合、登録キーを押すと、コントロール部１７は今回入手した情報を記憶部１６の登録領域の中に、適当な名前（例えば、メモ１）を付けて記憶させる（ステップＳ２０、Ｓ２１）。
【００２７】
（３）ＰＯＩ所在地図表示
ユーザが今回案内情報を入手したＰＯＩについて、所在確認用の地図画像、または所望地からＰＯＩまで（或いはＰＯＩから所望地まで）の経路案内情報のいずれもが必要ないとき、クリアキーを押せばコントロール部１７は画面を消して最初に戻るが（ステップＳ２２、Ｓ２３）、地図上で所在確認したいとき、上下左右キーでカーソルを文字リンク「ＭＡＰ」（図１６（２）の符号ＬＡ参照）に合わせ、確定キーを押して選択する。すると、コントロール部１７はリンク選択操作有りと判断し、対応するリンク情報の示すＵＲＬｋへのアクセス要求信号（ここではＰＯＩ所在地図要求信号となり、ＰＯＩの位置座標と名称を伴う）を端末ＩＤ情報とともに送信させ（ステップＳ２４、Ｓ２５）、該アクセス要求信号は移動網２０を介してデータ通信サービスセンタ３０に入力される。アクセス要求信号を入力したデータ通信サービスセンタ３０は、ＵＲＬｋがＵＲＬ（８０）a でありインターネット５０の上の情報配信コンピュータシステム８０に該当しているとき、アクセス要求信号をインターネット５０を介して情報配信コンピュータシステム８０に転送する（ステップＳ１０４、Ｓ１０５）。
【００２８】
情報配信コンピュータシステム８０はＵＲＬｋの示すＵＲＬ（８０）a にアクセスが有るとＰＯＩ所在地図要求有りと判断し（図１３のステップＳ１２０）、アクセスされたＵＲＬｋに含まれる位置座標を着目位置座標として、蓄積手段８１の中から所定の縮尺で着目位置座標を含む単位地図と、該単位地図を囲む８個の単位地図の地図データ読み出し、該読みだした地図データに対し着目位置座標に地図記号の１つとしてＰＯＩ位置マーク、着目位置座標から東へ一定距離離れた位置に地図文字の１つとしてのＰＯＩの名称を付加するとともに、経路探索要求用のＵＲＬ（８０）e をリンク情報とする「トータルナビ（目的地）」の文字リンク（「トータルナビ（目的地）」の文字リンクには、着目位置情報としてのＰＯＩの位置座標（経緯度）と経路探索条件の自動設定プログラムの情報が付属している）を付随させ、ヘッダに今回の着目位置座標を含めて、要求元の携帯電話１０Ａ宛に送信し（ステップＳ１２１）、データ通信サービスセンタ３０は、携帯電話１０Ａに転送する（ステップＳ１０４、Ｓ１０５）。ＰＯＩ所在地図情報は通信部１２で受信され、コントロール部１７が記憶部１６の一時記憶領域に一時記憶するとともに、当該ＰＯＩ所在地図情報を用いて表示部１５の下端部を除き、着目位置座標を中心とした地図画像を描画して表示させ、表示部１５の下端部にはフレーム分割により、「トータルナビ（目的地）」の文字リンク（図１７の符号ＬＢ参照）を表示させる（図８のステップＳ３０、Ｓ３１、Ｓ３２。図１７参照）。これにより、ユーザは所望のＰＯＩの場所を地図上で確認することができる。
【００２９】
（４）ＰＯＩ所在地図の保存
今回入手したＰＯＩ所在地図情報を登録しておきたい場合、登録キーを押すと、コントロール部１７は今回入手した情報を記憶部１６の登録領域の中に、適当な名前（例えば、メモ２）を付けて記憶させる（図８のステップＳ３７、Ｓ３８）。
【００３０】
（５）現在位置からＰＯＩまでの経路案内
（５−１）経路探索要求
ユーザが今回案内情報を入手したＰＯＩについて、例えば、現在位置からＰＯＩまでを徒歩と交通機関の組み合わせで結ぶ最適な経路を知りたい場合、ＰＯＩ案内情報（図１６（２）参照）またはＰＯＩ所在地図（図１７参照）が表示された状態で、「トータルナビ（目的地）」の文字リンクにカーソルを合わせ、確定キーを押してリンクＬＢを選択する。すると、コントロール部１７はリンク選択操作有りと判断し、当該リンクＬＢにプログラム情報が付属しているかチェックする（図７のステップＳ２４、図９のステップＳ６０）。ここでは経路探索条件自動設定プログラムが付随しているので、該経路探索条件自動設定プログラムを実行する（ステップＳ６１）。具体的には、ＧＰＳ受信部１３からその時点で検出されている現在位置を入力し、経路探索条件中の出発地の位置情報として設定し、当該リンクＬＢに付属したＰＯＩの位置座標を経路探索条件中の目的地の位置情報として設定し、計時部１８からその時点で計時されている現在日時（ここでは２００１年０９月２４日０９時５２分とする）を入力し、経路探索条件中の出発地出発予定日時として設定する（ステップＳ６２〜Ｓ６６）。そして、プログラムを実行した結果得られた経路探索条件の情報（出発地の位置情報、目的地の位置情報、出発地出発予定日時）を付随させながら、リンクＬＢに対応するリンク情報の示すＵＲＬｍへのアクセス要求信号（ここでは経路探索要求信号となる）を端末ＩＤ情報とともに送信させ（図９のステップＳ６７）、該アクセス要求信号は移動網２０を介してデータ通信サービスセンタ３０に入力される。アクセス要求信号を入力したデータ通信サービスセンタ３０は、ＵＲＬｍがＵＲＬ（８０）e でありインターネット５０の上の情報配信コンピュータシステム８０に該当しているとき、アクセス要求信号をインターネット５０を介して情報配信コンピュータシステム８０に転送する（ステップＳ１０４、Ｓ１０５）。なお、とくに経路探索を望まない場合、クリアキーを押せばコントロール部１７は画面１１を消去し（図８のステップＳ３９、Ｓ４０）、最初に戻る。
【００３１】
（５−２）経路探索
情報配信コンピュータシステム８０はＵＲＬｍの示すＵＲＬ（８０）e にアクセスが有ると経路探索要求有りと判断し（図１３のステップＳ１２２）、経路探索要求に付随した経路探索条件の情報に従い、蓄積手段８１に蓄積された道路データ及び交通機関の時刻表データを用いて、経路探索条件（出発地、目的地、出発地出発予定日時）に従い徒歩と交通機関の組み合わせで結ぶ最適な経路の候補をＭ＝２個探索する（ステップＳ１２３）。具体的には、出発地に近い方から２個の駅を探し、これら２個の駅を別個に経由する最適経路を探索する。
【００３２】
最適経路の２つの候補の探索が終わると、出発地から目的地まで交通手段別に、交通手段の名称、スタート位置と到着位置の名称、スタート時刻と到着時刻から成る最適経路概要文字情報を生成し、経路探索の要求元に返信する。この際、最適経路の各候補の内、交通手段が徒歩の経路データは個別に、徒歩用経路の終端への到着日時を含むインデックスと対応付けて蓄積手段８１に記憶させておき（図３のユーザデータ記憶領域）、蓄積手段８１の内の経路データの記憶場所と、着目位置座標としての経路データの始端位置座標とをパラメータに含む経路案内地図要求受け付け用のＵＲＬ（８０）e をリンク情報としたリンクを、最適経路概要文字情報に付加して経路探索の要求元に返信する（図１４のステップＳ１３０、Ｓ１３１）。
ここでは、図１８に示す如く、第１最適経路候補は、出発地から○○会社××線の片倉駅までの徒歩用経路ＲＡ、○○会社××線の○○片倉駅から○○八王子駅までの交通機関用経路ＲＢ、○○八王子駅から目的地である「カブース」までの徒歩用経路ＲＣで構成されており、第２最適経路候補は、出発地から△△会社□□線の△△片倉駅までの徒歩用経路ＲＤ、△△会社□□線の△△片倉駅から△△北野駅までの交通機関用経路ＲＥ、△△会社□□線の△△北野駅から△△八王子駅までの交通機関用経路ＲＦ、△△八王子駅から「カブース」までの徒歩用経路ＲＧで構成されているものとする。
【００３３】
最適経路概要文字情報は通信部１２で受信され、コントロール部１７が記憶部１６の一時記憶領域に一時記憶させるとともに、表示部１５に表示させる（図８のステップＳ３０、Ｓ３１、Ｓ３２。図１９参照）。これにより、第１候補では、現在地を２００１年０９月２４日１０時００分に出発して○○会社××線の○○片倉駅まで徒歩で５分行き（徒歩用経路（ＲＡ））、○○会社××線の○○片倉駅で１０時０８分発の電車に乗って○○八王子駅まで行き（交通機関用経路（ＲＢ））、○○会社××線の○○八王子駅から「カブース」まで徒歩で３分行けば１０時１７分頃に到着できることが判る（徒歩用経路（ＲＣ））。また、第２候補では、現在地を２００１年０９月２４日０９時５８分に出発して△△会社□□線の△△片倉駅まで徒歩で１０分行き（徒歩用経路（ＲＤ））、△△片倉駅で１０時１０分発の電車に乗って△△北野駅まで行き（交通機関用経路（ＲＥ））、△△会社・・線の１０時１７分発に乗換え、△△八王子駅まで行き（交通機関用経路（ＲＦ））、△△八王子駅から「カブース」まで徒歩で７分行けば１０時２１分頃に到着できることが判る（徒歩用経路（ＲＧ））。
【００３４】
（５−３）最適経路概要文字情報の保存
今回入手した最適経路概要文字情報を保存しておきたい場合、登録キーを押すと、コントロール部１７は今回入手した情報を記憶部１６の登録領域の中に、適当な名前（例えば、メモ３）を付けて記憶させる（図８のステップＳ３７、Ｓ３８）。
【００３５】
（５−４）出発地から最寄りの○○片倉駅までの経路案内地図表示
ユーザが第１候補の出発地から○○片倉駅までの徒歩用経路を地図上で確認したい場合、「徒歩ルート」（ＲＡ）の文字リンク（リンク情報をＵＲＬｏとする）を選択する。すると、コントロール部１７はリンク選択操作有りと判断し、対応するリンク情報の示すＵＲＬｏへのアクセス要求信号（ここでは経路案内地図要求信号となる）を端末ＩＤ情報とともに送信させ（図８のステップＳ３６、図７のステップＳ２５）、該アクセス要求信号は移動網２０を介してデータ通信サービスセンタ３０に入力される。アクセス要求信号を入力したデータ通信サービスセンタ３０は、ＵＲＬｏがＵＲＬ（８０）f でありインターネット５０の上の情報配信コンピュータシステム８０に該当しているので、アクセス要求信号をインターネット５０を介して情報配信コンピュータシステム８０に転送する（ステップＳ１０４、Ｓ１０５）。
【００３６】
情報配信コンピュータシステム８０はＵＲＬｏの示すＵＲＬ（８０）f にアクセスが有ると経路案内地図要求有りと判断し（図１４のステップＳ１３２）、付随するパラメータが示す記憶場所の経路データ（ＲＡ）を読み出すとともに、付随するパラメータが示す着目位置座標を含む所定の縮尺の１単位分の地図及び該単位地図を囲む８個の単位地図（例えば、図４の符号Ｐに示す如く単位地図Ｍ22の中に着目位置座標が有る場合、Ｍ11〜Ｍ13、Ｍ21〜Ｍ23、Ｍ31〜Ｍ33の単位地図が該当する）の地図表示用の地図データを読み出し、経路データを特定の色及び線種及び太さの道路として扱って地図データに組み込むとともに、経路データの始端位置に始端位置マーク、終端位置に終端位置マークを地図データに組み込んだのち、フレーム分割で地図と一緒に表示させる経路誘導開始コマンドボタン（ＣＢ１）（表示文字「ＮＡＶＩ開始」）と経路誘導終了コマンドボタン（ＣＢ２）（表示文字「ＮＡＶＩ終了」）の情報と、今回の着目位置座標を含むヘッダ付で経路案内地図情報として要求元に返信する（ステップＳ１３３）。経路誘導開始コマンドボタン（ＣＢ１）には、経路データ（ＲＡ）の蓄積手段８１での記憶場所をパラメータに持つ経路案内地図要求用のＵＲＬ（８０）g がリンク情報として割り当てられている。
【００３７】
経路案内地図情報は通信部１２で受信され、コントロール部１７が記憶部１６の一時記憶領域に一時記憶させるとともに、経路案内地図情報を用いて、表示部１５の下端部を除き、ヘッダに含まれる着目位置座標を中心とした地図画像を描画し、表示部１５の下端部にはフレーム分割で経路誘導開始コマンドボタン（ＣＢ１）及び経路誘導終了コマンドボタン（ＣＢ２）とともに表示部１５に表示させる（図８のステップＳ３０、Ｓ３１、Ｓ３２。図２０参照）。これにより、ユーザは出発地から○○片倉駅までの徒歩用経路（ＲＡ）を地図上で確認することができる。
【００３８】
（５−５）○○八王子駅から所望店舗までの経路案内地図表示
続いて、ユーザが第１候補での○○八王子駅から目的地である「カブース」までの経路を地図上で確認したい場合、「徒歩ルート」（ＲＣ）の文字リンクを選択する（リンク情報をＵＲＬｐとする）。すると、コントロール部１７はリンク選択操作有りと判断し、対応するリンク情報の示すＵＲＬｐのアクセス要求信号（ここでは経路案内地図要求信号となる）を端末ＩＤ情報とともに送信させ（ステップＳ２４、Ｓ２５）、該アクセス要求信号は移動網２０を介してデータ通信サービスセンタ３０に入力される。アクセス要求信号を入力したデータ通信サービスセンタ３０は、ＵＲＬｐがＵＲＬ（８０）f でありインターネット５０の上の情報配信コンピュータシステム８０に該当しているとき、アクセス要求信号をインターネット５０を介して情報配信コンピュータシステム８０に転送する（ステップＳ１０４、Ｓ１０５）。
【００３９】
情報配信コンピュータシステム８０はＵＲＬｐの示すＵＲＬ（８０）f にアクセスが有ると経路案内地図要求有りと判断し（図１４のステップＳ１３２）、付随するパラメータが示す記憶場所の経路データ（ＲＣ）を読み出すとともに、付随するパラメータが示す着目位置座標を含む所定の縮尺の１単位分の地図及び該単位地図を囲む８個の単位地図の地図表示用の地図データを読み出し、経路データを特定の色及び線種及び線の太さの道路として扱って地図データに組み込むとともに、経路データの始端位置に始端位置マーク、終端位置に終端位置マークを地図データに組み込んだのち、フレーム分割で地図と一緒に表示させる経路誘導開始コマンドボタン（ＣＢ１）（表示文字「ＮＡＶＩ開始」）と経路誘導終了コマンドボタン（ＣＢ２）（表示文字「ＮＡＶＩ終了」）の情報と、今回の着目位置座標を含むヘッダ付で経路案内地図情報として要求元に返信する（ステップＳ１３３）。経路誘導開始コマンドボタン（ＣＢ１）には、経路データ（ＲＣ）の蓄積手段８１での記憶場所をパラメータに持つ経路案内地図要求用のＵＲＬ（８０）g がリンク情報として割り当てられている。
【００４０】
経路案内地図情報は通信部１２で受信され、コントロール部１７が記憶部１６の一時記憶領域に一時記憶させるとともに、経路案内地図情報を用いて、表示部１５の下端部を除き、ヘッダに含まれる着目位置座標を中心とした地図画像を描画し、表示部１５の下端部にはフレーム分割で経路誘導開始コマンドボタン（ＣＢ１）及び経路誘導終了コマンドボタン（ＣＢ２）とともに表示部１５に表示させる（図８のステップＳ３０、Ｓ３１、Ｓ３２。図２１参照）。これにより、ユーザは○○八王子駅から「カブース」までの徒歩用経路（ＲＣ）を地図上で確認することができる。
【００４１】
（５−６）出発地から最寄りの△△片倉駅までの経路案内地図表示
ユーザが第２候補の出発地から△△片倉駅までの経路を地図上で確認したい場合、「徒歩ルート」（ＲＤ）の文字リンク（リンク情報をＵＲＬｑとする）を選択する。すると、コントロール部１７はリンク選択操作有りと判断し、対応するリンク情報の示すＵＲＬｑへのアクセス要求信号（ここでは経路案内地図要求信号となる）を端末ＩＤ情報とともに送信させ（図８のステップＳ３６、図７のステップＳ２５）、該アクセス要求信号は移動網２０を介してデータ通信サービスセンタ３０に入力される。アクセス要求信号を入力したデータ通信サービスセンタ３０は、ＵＲＬｑがＵＲＬ（８０）f でありインターネット５０の上の情報配信コンピュータシステム８０に該当しているとき、アクセス要求信号をインターネット５０を介して情報配信コンピュータシステム８０に転送する（ステップＳ１０４、Ｓ１０５）。
【００４２】
情報配信コンピュータシステム８０はＵＲＬｑの示すＵＲＬ（８０）f にアクセスが有ると経路案内地図要求有りと判断し（図１４のステップＳ１３２）、付随するパラメータが示す記憶場所の経路データ（ＲＤ）を読み出すとともに、付随するパラメータが示す着目位置座標を含む所定の縮尺の１単位分の地図及び該単位地図を囲む８個の単位地図の地図表示用の地図データを読み出し、経路データを特定の色及び線種及び太さの道路として扱って地図データに組み込むとともに、経路データの始端位置に始端位置マーク、終端位置に終端位置マークを地図データに組み込んだのち、フレーム分割で地図と一緒に表示させる経路誘導開始コマンドボタン（ＣＢ１）（表示文字「ＮＡＶＩ開始」）と経路誘導終了コマンドボタン（ＣＢ２）（表示文字「ＮＡＶＩ終了」）の情報と、今回の着目位置座標を含むヘッダ付で経路案内地図情報として要求元に返信する（ステップＳ１３３）。経路誘導開始コマンドボタン（ＣＢ１）には、経路データ（ＲＤ）の蓄積手段８１での記憶場所をパラメータに持つ経路案内地図要求用のＵＲＬ（８０）g がリンク情報として割り当てられている。
【００４３】
経路案内地図情報は通信部１２で受信され、コントロール部１７が記憶部１６の一時記憶領域に一時記憶させるとともに、ヘッダに含まれる着目位置座標を中心とした地図画像を描画し、経路誘導開始コマンドボタン（ＣＢ１）及び経路誘導終了コマンドボタン（ＣＢ２）とともに表示部１５に表示させる（図８のステップＳ３０、Ｓ３１、Ｓ３２。図２２参照）。これにより、ユーザは出発地から△△片倉駅までの徒歩用経路（ＲＤ）を地図上で確認することができる。
【００４４】
（５−７）△△八王子駅から所望店までの経路案内地図表示
続いて、ユーザが第２候補での△△八王子駅から目的地である「カブース」までの経路を地図上で確認したい場合、「徒歩ルート」（ＲＧ）の文字リンクを選択する（リンク情報をＵＲＬｒとする）。すると、コントロール部１７はリンク選択操作有りと判断し、対応するリンク情報の示すＵＲＬｒのアクセス要求信号（ここでは経路案内地図要求信号となる）を端末ＩＤ情報とともに送信させ（ステップＳ３６、図７のステップＳ２５）、該アクセス要求信号は移動網２０を介してデータ通信サービスセンタ３０に入力される。アクセス要求信号を入力したデータ通信サービスセンタ３０は、ＵＲＬｒがＵＲＬ（８０）f でありインターネット５０の上の情報配信コンピュータシステム８０に該当しているとき、アクセス要求信号をインターネット５０を介して情報配信コンピュータシステム８０に転送する（ステップＳ１０４、Ｓ１０５）。
【００４５】
情報配信コンピュータシステム８０はＵＲＬｒの示すＵＲＬ（８０）f にアクセスが有ると経路案内地図要求有りと判断し（図１４のステップＳ１３２）、付随するパラメータが示す記憶場所の経路データ（ＲＧ）を読み出すとともに、付随するパラメータが示す着目位置座標を含む所定の縮尺の１単位分の地図及び該単位地図を囲む８個の単位地図の地図表示用の地図データを読み出し、経路データを特定の色及び線種及び太さの道路として扱って地図データに組み込むとともに、経路データの始端位置に始端位置マーク、終端位置に終端位置マークを地図データに組み込んだのち、フレーム分割で地図と一緒に表示させる経路誘導開始コマンドボタン（ＣＢ１）（表示文字「ＮＡＶＩ開始」）と経路誘導終了コマンドボタン（ＣＢ２）（表示文字「ＮＡＶＩ終了」）の情報と、今回の着目位置座標を含むヘッダ付で経路案内地図情報として要求元に返信する（ステップＳ１３３）。経路誘導開始コマンドボタン（ＣＢ１）には、経路データ（ＲＧ）の蓄積手段８１での記憶場所をパラメータに持つ経路案内地図要求用のＵＲＬ（８０）g をリンク情報として割り当てておく。
【００４６】
経路案内地図情報は通信部１２で受信され、コントロール部１７が記憶部１６の一時記憶領域に一時記憶させるとともに、当該経路案内地図情報を用いて表示部１５の下端部を除き、着目位置座標を中心とした地図画像を描画して表示させ、表示部１５の下端部にはフレーム分割で経路誘導開始コマンドボタン（ＣＢ１）及び経路誘導終了コマンドボタン（ＣＢ２）を表示させる（図８のステップＳ３０、Ｓ３１、Ｓ３２。図２３参照）。これにより、ユーザは△△八王子駅から「カブース」までの徒歩用経路（ＲＧ）を地図上で確認することができる。
【００４７】
（５−８）出発地から最寄りの○○片倉駅までの経路誘導
現在の日時が第１候補での出発地出発予定日時となったので、徒歩で出発したのち徒歩用経路（ＲＡ）の表示された地図上で現在位置を確認しながら進みたい場合、図２０の地図画像が表示された状態で経路誘導開始コマンドボタン（ＣＢ１）を選択して経路誘導開始操作をする。すると、コントロール部１７は、図８のステップＳ４１でＹＥＳと判断し、現在、経路案内地図表示中なので（ステップＳ４２）、ＧＰＳ受信部１３で検出された現在位置を入力し（ステップＳ４３）、記憶部１６の一時記憶領域の中に現在位置周辺の経路案内用の複数の単位地図（現在位置を含む１つの単位地図と該単位地図を囲む８枚の単位地図）の地図データが全て揃っているか判断し（ステップＳ４４）、ＹＥＳであれば、経路案内用の単位地図を用いて現在位置を中心とする１画面分の地図画像を現在位置マーク（ＰＭ）とともに描画して表示部１３に表示させる（ステップＳ４５）。そして、ＧＰＳ受信部１３で検出された現在位置を入力し（ステップＳ４６）、前回、現在位置マーク付の地図画像を描画してから所定の一定距離、例えば、１０ｍ、１５ｍなど）だけ変化したかチェックし（ステップＳ４７）、ＹＥＳであれば、ステップＳ４４へ進み、ＮＯであれば経路誘導終了操作がされたかのチェックをし（ステップＳ４９）、ここでもＮＯであればステップＳ４６に戻る。
【００４８】
若し、ステップＳ４４のチェックで、記憶部１６の中に現在位置周辺の経路案内用の複数の単位地図の地図データが全て揃っていないときは、情報配信コンピュータシステム８０に要求し、返信された地図データを記憶部１６の一時記憶領域に追加する（ステップＳ４８）。具体的には、コントロール部１７は現在位置を含む１つの単位地図と該単位地図を囲む８枚の単位地図の内、既に記憶部１６に存在するものの識別情報と着目位置情報としての現在位置をパラメータに含めながら、不足分の経路案内地図要求用のＵＲＬ（８０）g へのアクセス要求信号（ここでは不足分の経路案内地図要求信号となる）を端末ＩＤ情報とともに送信させる。該アクセス要求信号は移動網２０を介してデータ通信サービスセンタ３０に入力される。アクセス要求信号を入力したデータ通信サービスセンタ３０は、ＵＲＬがＵＲＬ（８０）g でありインターネット５０の上の情報配信コンピュータシステム８０に該当しているとき、アクセス要求信号をインターネット５０を介して情報配信コンピュータシステム８０に転送する（ステップＳ１０４、Ｓ１０５）。
【００４９】
情報配信コンピュータシステム８０はＵＲＬg にアクセスが有ると不足分の経路案内地図要求有りと判断し（図１４のステップＳ１３４）、付随するパラメータが示す記憶場所の経路データ（ＲＡ）を読み出すとともに、付随するパラメータが示す着目位置座標を含む所定の縮尺の１単位分の地図及び該単位地図を囲む８個の単位地図の内、既に要求元に地図データの存在するものを除いて地図表示用の地図データを読み出し、経路データ（ＲＡ）を特定の色及び線種及び太さの道路として扱って地図データに組み込むとともに、経路データ（Ａ）の始端位置に始端位置マーク、終端位置に終端位置マークを地図データに組み込んだのち、要求元に返信する（ステップＳ１３３）。経路案内地図情報は通信部１２で受信され、コントロール部１７が記憶部１６の一時記憶領域に追加して一時記憶させる（ステップＳ４８）。そして、ステップＳ４４に戻り、記憶部１６の中に現在位置周辺の経路案内用の複数の単位地図（現在位置を含む１つの単位地図と該単位地図を囲む８枚の単位地図）の地図データが全て揃っているか判断し、ＹＥＳであれば、経路案内用の単位地図を用いて現在位置を中心とする１画面分の地図画像を描画して表示部１５に表示させる（ステップＳ４５）。以下、同様の動作を繰り返すことで、徒歩で出発後、画面には現在位置を中心とし、徒歩用経路（ＲＡ）と現在位置マーク（ＰＭ）の表示された地図が表示されるので（図２４参照）、道をさがさなくても間違いなく簡単に目的とする○○片倉駅に到着できる。
【００５０】
○○片倉駅に到着したところで、経路誘導終了コマンドボタン（ＣＢ２）を選択して経路誘導終了操作をする。すると、コントロール部１７は、図８のステップＳ４９でＹＥＳと判断し、画面を消去する（ステップＳ５０）。
そして、○○会社××線にて○○片倉駅から○○八王子駅まで電車で行く。
【００５１】
（５−９）○○八王子駅から「カブース」までの経路誘導
○○八王子駅に到着後、駅を出たのち徒歩で徒歩用経路（ＲＣ）の表示された地図上で現在位置を確認しながら目的の店舗まで進みたい場合、メニューキーを押して初期メニューを表示させ、保存情報リストの選択操作をする。すると、コントロール部１７は図７のステップＳ１０とＳ１１を経てステップＳ２６でＹＥＳと判断し、画面に保存情報リストを表示させる（図１０のステップＳ７０。図２５参照）。この内、メモ３を選択すると、コントロール部１７はステップＳ７１でＹＥＳと判断し、記憶部１６の保存領域からユーザの選択した保存情報を読み出し、この内の表示情報に基づき画面１１に表示させる（ステップＳ７２）。これにより、図１９の如く最適経路概要文字情報が表示される。次に、徒歩ルート（ＲＣ）にカーソルを合わせ、確定キーを押して選択操作をすると、（５−５）で説明した如くして、図２１の如く、徒歩用経路（ＲＣ）の案内地図が表示される。
【００５２】
よって、経路誘導開始操作をすると、コントロール部１７は、図８のステップＳ４１でＹＥＳと判断し、現在、経路案内地図表示中なので（ステップＳ４２でＹＥＳ）、ＧＰＳ受信部１３で検出された現在位置を入力し（ステップＳ４３）、記憶部１６の中に現在位置周辺の経路案内用の複数の単位地図（現在位置を含む１つの単位地図と該単位地図を囲む８枚の単位地図）の地図データが全て揃っているか判断し（ステップＳ４４）、ＹＥＳであれば、経路案内用の地図データを用いて現在位置を中心とする１画面分の地図画像を現在位置マーク（ＰＭ）とともに描画して表示部１５に表示させる（ステップＳ４５）。そして、ＧＰＳ受信部１３で検出された現在位置を入力し（ステップＳ４６）、前回現在位置マーク付の地図画像を描画してから所定の一定距離だけ変化したかチェックし（ステップＳ４７）、ＹＥＳであれば、ステップＳ４４へ進み、ＮＯであれば経路誘導終了操作がされたかのチェックをし（ステップＳ４９）、ここでもＮＯであればステップＳ４６に戻る。
【００５３】
若し、ステップＳ４４のチェックで、記憶部１６の中に現在位置周辺の経路案内用の地図データが全て揃っていないときは、情報配信コンピュータシステム８０に要求し、返信された地図データを記憶部１６に追加する（ステップＳ４８）。具体的には、コントロール部１７は現在位置を含む１つの単位地図と該単位地図を囲む８枚の単位地図の内、既に記憶部１３に存在するものの識別情報と着目位置情報としての現在位置をパラメータに含めながら、不足分の経路案内地図要求用のＵＲＬ（８０）g へのアクセス要求信号（ここでは不足分の経路案内地図要求信号となる）を端末ＩＤ情報とともに送信させる。該アクセス要求信号は移動網２０を介してデータ通信サービスセンタ３０に入力される。アクセス要求信号を入力したデータ通信サービスセンタ３０は、ＵＲＬがＵＲＬ（８０）g でありインターネット５０の上の情報配信コンピュータシステム８０に該当しているとき、アクセス要求信号をインターネット５０を介して情報配信コンピュータシステム８０に転送する（ステップＳ１０４、Ｓ１０５）。
【００５４】
情報配信コンピュータシステム８０はＵＲＬg にアクセスが有ると不足分の経路案内地図要求有りと判断し（図１４のステップＳ１３４）、付随するパラメータが示す記憶場所の経路データ（ＲＣ）を読み出すとともに、付随するパラメータが示す着目位置座標を含む所定の縮尺の１単位分の地図及び該単位地図を囲む８個の単位地図の内、既に要求元に地図データの存在するものを除いて地図表示用の地図データを読み出し、経路データを特定の色及び線種及び太さの道路として扱って地図データに組み込むとともに、経路データの始端位置に始端位置マーク、終端位置に終端位置マークを地図データに組み込んだのち、要求元に返信する（ステップＳ１３３）。経路案内地図情報は通信部１２で受信され、コントロール部１７が記憶部１６の一時記憶領域に追加して一時記憶させる（ステップＳ４８）。そして、ステップＳ４４に戻り、記憶部１６の中に現在位置周辺の経路案内用の複数の単位地図（現在位置を含む１つの単位地図と該単位地図を囲む８枚の単位地図）の地図データが全て揃っているか判断し、ＹＥＳであれば、経路案内用の地図データを用いて現在位置を中心とする１画面分の地図画像を描画して表示部１５に表示させる（ステップＳ４５）。以下、同様の動作を繰り返すことで、○○八王子駅を徒歩で出たあと、画面には現在位置を中心とし、徒歩用経路（ＲＣ）と現在位置マークの表示された地図が表示されるので（図２６参照）、道をさがさなくても間違いなく簡単に目的とするお店に到着できる。
【００５５】
「カブース」に到着したところで、経路誘導終了コマンドボタン（ＣＢ２）を選択し、経路誘導終了操作をする。すると、コントロール部１７は、図８のステップＳ４９でＹＥＳと判断し、画面を消去する（ステップＳ５０）。
【００５６】
（７）徒歩用経路データの削除
情報配信コンピュータシステム８０は、蓄積手段８１のユーザデータ記憶領域の中に、現在の日時がインデックスの到着日時を過ぎている経路データが有れば随時、削除する（図１４のステップＳ１３６）。
【００５７】
この実施の形態によれば、第１の情報配信事業者が運用する情報配信コンピュータシステム６０Ａi は、外部の携帯電話１０Ａから或るＰＯＩの案内情報が要求されると、所望ＰＯＩの案内情報に、ＰＯＩの位置情報をパラメータに含み、第２の情報配信事業者が運用する情報配信コンピュータシステム８０に対するＰＯＩ所在地図情報要求受け付け用のＵＲＬ（８０）a をリンク情報とする「ＭＡＰ」の文字リンクと、第２の情報配信事業者が運用する情報配信コンピュータシステム８０に対する経路探索要求用のＵＲＬ（８０）e をリンク情報とする「トータルナビ（目的地）」の文字リンク（経路探索要求用コマンドボタンとしての機能を有する。図１６（２）の符号ＬＢ参照）を付随させて要求元の携帯電話１０Ａに返信し、該携帯電話１０Ａは受信したＰＯＩの案内情報と各文字リンクを一緒に表示する。そして、「ＭＡＰ」の文字リンクの選択操作をし、第２の情報配信事業者が運用する情報配信コンピュータシステム８０に対するＰＯＩ所在地図情報要求をすると、情報配信コンピュータシステム８０は、アクセスされたＵＲＬ（８０）a にパラメータとして含まれるＰＯＩの位置情報の周辺の地図表示用の地図データ（ＰＯＩの位置マークを加える）と、情報配信コンピュータシステム８０に対する経路探索要求用のＵＲＬ（８０）e をリンク情報とする「トータルナビ（目的地）」の文字リンク（経路探索要求用コマンドボタンとしての機能を有する。図１７の符号ＬＢ参照）と、ＰＯＩの位置情報を着目位置情報としてヘッダに含むＰＯＩ所在地図情報を返信し、携帯電話１０Ａは着目位置情報を中心とするＰＯＩ位置マーク付の地図画像を文字リンクとともに表示する。携帯電話１０ＡでＰＯＩの案内情報またはＰＯＩの所在地図とともに表示された「トータルナビ（目的地）」の文字リンクの選択操作がされて経路探索が指示されると、その時点でＧＰＳ受信部１３で検出されている現在位置を出発地の位置情報とし、その時点で計時部１８で計時されている現在日時を出発地出発予定日時とし、「トータルナビ（目的地）」の文字リンクに付属されたＰＯＩの位置情報を目的地の位置情報として経路探索条件を自動設定し、第２の情報配信事業者が運用する情報配信コンピュータシステム８０に対し経路探索条件の情報を付随して経路探索要求をし、情報配信コンピュータシステム８０により経路探索用の道路データ及び交通機関の時刻表データを参照して、経路探索条件に従う最適経路候補の探索をさせ、探索結果を返信させる。
これにより、情報端末１０Ａのユーザは、現在位置から所望のＰＯＩの位置までを徒歩と交通機関の組み合わせで結ぶ最適な経路を探索したい場合、所望ＰＯＩの案内情報または所望ＰＯＩの所在地図情報を要求して入手した所望ＰＯＩの案内情報または所望ＰＯＩの所在地図とともに表示された「トータルナビ（目的地）」の文字リンクの選択操作をして経路探索を指示するだけで、現在日時を出発地出発予定日時とし、現在位置を出発地とし、所望ＰＯＩの位置情報を目的地とした経路探索条件が自動設定されて経路探索の要求がなされるので、出発地、目的地、出発地出発予定日時のマニュアル設定操作をしなくて済む。よって、簡単に現在地から所望興味対象場所までを徒歩と交通機関の組み合わせで結ぶ最適経路の情報を簡単に入手できる。
【００５８】
なお、上記した実施の形態では、最適経路の候補をＭ＝２つ探索するようにしたが、１つまは３つ以上探索するようにしても良い。
また、経路探索条件の１つである出発地出発予定日時は情報端末１０Ａの側で「トータルナビ（目的地）」の文字リンクの選択操作をして経路探索が指示された時点で計時部１８で計時した日時に基づき設定されるようにしたが、第２の情報配信事業者が運用する情報配信コンピュータシステム８０に日時を計時する計時部を設けておき、情報端末１０Ａの側では図９のステップＳ６５とＳ６６を省略し、経路探索が指示されたとき、出発地と目的地だけ経路探索条件として自動設定し、第２の情報配信事業者が運用する情報配信コンピュータシステム８０に対し経路探索条件の情報を付随した経路探索要求を行い、第２の情報配信事業者が運用する情報配信コンピュータシステム８０に対し経路探索条件の情報を付随した経路探索要求を行い、該要求を受けた情報配信コンピュータシステム８０は、経路探索用の道路データと交通機関の時刻表データを参照して経路探索条件の示す出発地から目的地までを、現在日時を出発地出発予定日時として徒歩と交通機関で結ぶ最適な経路を探索するようにしても良い。
【００５９】
また、出発地から目的地までの交通手段は、徒歩と交通機関との組み合わせとしたが、車単独としても良く、この場合、蓄積手段８１には交通機関の時刻表データを蓄積しなくても良い。また、出発地から目的地までの交通手段を車単独とする場合も、情報配信コンピュータシステム８０に日時を計時する計時部を設けておき、情報端末１０Ａの側では図９のステップＳ６５とＳ６６を省略し、経路探索が指示されたとき、出発地と目的地だけ経路探索条件として自動設定し、第２の情報配信事業者が運用する情報配信コンピュータシステム８０に対し経路探索条件の情報を付随した経路探索要求を行い、第２の情報配信事業者が運用する情報配信コンピュータシステム８０に対し経路探索条件の情報を付随した経路探索要求を行い、該要求を受けた情報配信コンピュータシステム８０は、経路探索用の道路データを参照して現在日時を出発地出発予定日時として経路探索条件の示す出発地から目的地までを結ぶ最適な経路を探索するようにしても良く、或いは、出発地出発予定日時は考慮せず単純に出発地から目的地までを結ぶ最適経路の探索をするようにしても良い。また、最適経路を探索する候補数Ｍを複数とする場合、走行距離の短い方からＭ個探索すれば良い。
【００６０】
また、上記した実施の形態では、情報端末として携帯電話を例に挙げて説明したが、携帯型コンピュータ、据え置き型コンピュータなどにも同様に適用することができる。
【００６１】
【発明の効果】
本発明の１つによれば、情報端末のユーザは第１の情報配信事業者の運営する情報配信コンピュータシステムから所望の興味対象場所の案内情報を入手したあと、現在位置から当該所望の興味対象場所までを徒歩と交通機関で結ぶ最適な経路を探索したい場合、興味対象場所の案内情報に付随したリンクを選択するなどして経路探索を指示すると興味対象場所の位置情報を目的地、現在位置検出手段で検出されている現在位置を出発地とし、出発地と現在日時を出発日時として含む経路探索条件を自動設定し、第２の情報配信事業者用のコンピュータシステムに対し経路探索条件の情報を付随した経路探索要求をするので、出発地の位置情報と目的地の位置情報のマニュアル設定操作をしなくても簡単に、現在地から所望興味対象場所までを徒歩と交通機関で結ぶ最適経路の情報を入手できる。
また、本発明の他の１つによれば、情報端末のユーザは第１の情報配信事業者の運営する情報配信コンピュータシステムから所望の興味対象場所の案内情報を入手したあと、現在位置を今から出発して当該所望の興味対象場所まで徒歩と交通機関の組み合わせで結ぶ最適な経路を探索したい場合、興味対象場所の案内情報に付随したリンクを選択するなどして経路探索を指示すると興味対象場所の位置情報を目的地、現在位置検出手段で検出されている現在位置を出発地、現在日時を出発地出発予定日時とした経路探索条件を自動設定し、第２の情報配信事業者用のコンピュータシステムに対し経路探索条件の情報を付随した経路探索要求をするので、出発地の位置情報と目的地の位置情報と出発地出発予定日時のマニュアル設定操作をしなくても簡単に、現在地から所望興味対象場所までを徒歩と交通機関の組み合わせで結ぶ最適経路の情報を入手できる。
また、本発明の更に他の１つによれば、情報端末のユーザは第１の情報配信事業者の運営する情報配信コンピュータシステムから所望の興味対象場所の案内情報を入手したあと、現在位置を今から出発して当該所望の興味対象場所まで徒歩と交通機関の組み合わせで結ぶ最適な経路を探索したい場合、興味対象場所の案内情報に付随したリンクを選択するなどして経路探索が指示されると興味対象場所の位置情報を目的地、現在位置検出手段で検出されている現在位置を出発地とした経路探索条件を自動設定し、第２の情報配信事業者用のコンピュータシステムに対し経路探索条件の情報を付随した経路探索要求をし、第２の情報配信事業者用のコンピュータシステムは、経路探索用の道路データ及び交通機関データを参照して現在日時を出発地出発予定日時として経路探索条件の示す出発地から目的地までを徒歩と交通機関で結ぶ最適な経路を探索するので、出発地の位置情報と目的地の位置情報と出発地出発予定日時のマニュアル設定操作をしなくても簡単に、現在地から所望興味対象場所までを徒歩と交通機関の組み合わせで結ぶ最適経路の情報を入手できる。
本発明の更に他の１つによれば、情報端末のユーザは第１の情報配信事業者の運営する情報配信コンピュータシステムから所望の興味対象場所の案内情報を入手したあと、第２の情報配信コンピュータシステムに所望の興味対象場所の所在地図情報を要求し、第２の情報配信コンピュータシステムから送信される所在地図情報に付随したリンクを選択するなどして経路探索を指示すると興味対象場所の位置情報を目的地、現在位置検出手段で検出されている現在位置を出発地とし、出発地と現在日時を出発日時として含む経路探索条件を自動設定し、第２の情報配信事業者用のコンピュータシステムに対し経路探索条件の情報を付随した経路探索要求をするので、出発地の位置情報と目的地の位置情報のマニュアル設定操作をしなくても簡単に、現在地から所望興味対象場所までの最適経路の情報を入手できる。
【図面の簡単な説明】
【図１】本発明の一つの実施の形態に係る情報配信システムの構成図である。
【図２】図１中のＰＯＩ案内情報の配信事業者の運用する情報配信コンピュータシステムの蓄積手段の記憶内容の説明図である。
【図３】図１中の地図情報及び最適経路情報の配信事業者の運用する情報配信コンピュータシステムの蓄積手段の記憶内容の説明図である。
【図４】地図表示用の地図データの説明図である。
【図５】地図表示用の地図データの説明図である。
【図６】図１中の携帯電話のデータ通信系の構成図である。
【図７】図６中のコントロール部の制御処理を示すフローチャートである。
【図８】図６中のコントロール部の制御処理を示すフローチャートである。
【図９】図６中のコントロール部の制御処理を示すフローチャートである。
【図１０】図６中のコントロール部の制御処理を示すフローチャートである。
【図１１】図１中のデータ通信サービスセンタの制御処理を示すフローチャートである。
【図１２】図１中のＰＯＩ案内情報の配信事業者の運用する情報配信コンピュータシステムの制御処理を示すフローチャートである。
【図１３】図１中の地図情報及び最適経路情報の配信事業者の運用する情報配信コンピュータシステムの制御処理を示すフローチャートである。
【図１４】図１中の地図情報及び最適経路情報の配信事業者の運用する情報配信コンピュータシステムの制御処理を示すフローチャートである。
【図１５】図６中の表示部の表示例を示す説明図である。
【図１６】図６中の表示部の表示例を示す説明図である。
【図１７】図６中の表示部の表示例を示す説明図である。
【図１８】最適経路候補の説明図である。
【図１９】図６中の表示部の表示例を示す説明図である。
【図２０】図６中の表示部の表示例を示す説明図である。
【図２１】図６中の表示部の表示例を示す説明図である。
【図２２】図６中の表示部の表示例を示す説明図である。
【図２３】図６中の表示部の表示例を示す説明図である。
【図２４】図６中の表示部の表示例を示す説明図である。
【図２５】図６中の表示部の表示例を示す説明図である。
【図２６】図６中の表示部の表示例を示す説明図である。
【図２７】従来の情報配信システムの構成図である。
【図２８】図２６中の携帯電話の画面表示例を示す説明図である。
【図２９】図２６中の携帯電話の画面表示例を示す説明図である。
【符号の説明】
１０Ａ  携帯電話                  ２０  移動網
３０  データ通信サービスセンタ    ５０  インターネット
６０Ａ1 、６０Ａ2 、６０Ａ3 、６０Ａ4 、・・、６０Ａi 、・・、８０
情報配信コンピュータシステム
６１Ａ1 、６１Ａ2 、６１Ａ3 、６１Ａ4 、・・、６１Ａi 、・・、８１
蓄積手段
１１  画面                        １２  通信部
１３  ＧＰＳ受信部                １４  キー操作部
１５  表示部                      １６  記憶部
１７  コントロール部              １８  計時部
【図１】
0003962570.tif 000002
【図２】
0003962570.tif 000003
【図３】
0003962570.tif 000004
【図４】
0003962570.tif 000005
【図５】
0003962570.tif 000006
【図６】
0003962570.tif 000007
【図７】
0003962570.tif 000008
【図８】
0003962570.tif 000009
【図９】
0003962570.tif 000010
【図１０】
0003962570.tif 000011
【図１１】
0003962570.tif 000012
【図１２】
0003962570.tif 000013
【図１３】
0003962570.tif 000014
【図１４】
0003962570.tif 000015
【図１５】
0003962570.tif 000016
【図１６】
0003962570.tif 000017
【図１７】
0003962570.tif 000018
【図１８】
0003962570.tif 000019
【図１９】
0003962570.tif 000020
【図２０】
0003962570.tif 000021
【図２１】
0003962570.tif 000022
【図２２】
0003962570.tif 000023
【図２３】
0003962570.tif 000024
【図２４】
0003962570.tif 000025
【図２５】
0003962570.tif 000026
【図２６】
0003962570.tif 000027
【図２７】
0003962570.tif 000028
【図２８】
0003962570.tif 000029
【図２９】
0003962570.tif 000030